(57)【要約】      （修正有）【課題】  対応付けようとする２台の機器が同一のＬＡＮ上にない場合でも、対応付けができるような対応付け方法を提供する。【解決手段】  マッチングサーバＥでは、携帯電話１０１とプリンタ２０２とからそれぞれ送られてきた指紋情報を比較する。マッチングサーバＥは、例えば５秒以内に送られてきた指紋情報同士に限定し、「続けてタッチされた」と判断し、指紋情報２５１ａ・２５１ｂの比較処理を行う。比較した指紋情報が一致すれば、マッチングサーバＥは、携帯電話１０１に対してプリンタ２０２のグローバルＩＰアドレスを、プリンタ２０２に対して携帯電話１０１のグローバルＩＰアドレスを通知する。これにより携帯電話１０１は、プリンタ２０２のグローバルＩＰアドレスを取得できるため、携帯電話１０１の利用者がタッチしたプリンタ（プリンタ２０２）に対して印刷対象のドキュメントを送信し、ドキュメントを印刷することができる。【選択図】  図１
2006350588.tif 000002
【特許請求の範囲】
【請求項１】
ネットワークを介して第１の装置と第２の装置との双方に接続可能な通信部を有し、
前記通信部を介して前記第１の装置と前記第２の装置とからそれぞれの装置のネットワークアドレスを含む対応依頼情報を受信し、対応付けが許可された場合に、前記第１又は第２の装置の少なくともいずれかに対して相手方の装置のネットワークアドレスを通知することを特徴とする情報処理装置。
【請求項２】
請求項１に記載の情報処理装置であって、
前記第１の装置からの対応依頼情報を受信した時刻と前記第２の装置からの対応依頼情報を受信した時刻との時間差が所定時間内である場合に、第１の装置と第２の装置とを対応付けを許可する
ことを特徴とする情報処理装置。
【請求項３】
請求項２に記載の情報処理装置であって、
前記所定時間が、前記第１の装置または前記第２の装置のうちの少なくともいずれか一方から指定された値に基づき設定される
ことを特徴とする情報処理装置。
【請求項４】
請求項１から３までのいずれか１項に記載の情報処理装置であって、
前記第１の装置からは、該第１の装置のネットワークアドレスとともに第１の識別情報を受信し、前記第２の装置からは、該第２の装置のネットワークアドレスとともに第２の識別情報を受信し、
前記第１の識別情報と前記第２の識別情報とに基づき対応付け可能であると判断された場合に、前記第１の装置と前記第２の装置との対応付けを許可する
ことを特徴とする情報処理装置。
【請求項５】
請求項１から４までのいずれか１項に記載の情報処理装置であって、
前記第１の装置又は前記第２の装置の少なくとも一方から、伝達情報を受信し、前記第１の装置と前記第２の装置との対応付けが許可された場合に、前記一方の装置から受信した伝達情報を他方の装置へ通知することを特徴とする情報処理装置。
【請求項６】
ネットワークを介して第１の装置と第２の装置との双方に接続可能な通信部を有し、
前記通信部を介して前記第１の装置と前記第２の装置とからそれぞれの装置のネットワークアドレスを含む対応依頼情報を受信し、対応付けが許可された場合に、前記第１の装置と前記第２の装置との組に割り当て、組になったことを認識させるために用いる対応付け情報を生成し、前記第１の装置および前記第２の装置の双方に対して相手方の装置のネットワークアドレスと前記対応付け情報とを通知することを特徴とする情報処理装置。
【請求項７】
ネットワークを介して第１の装置と第２の装置との双方に接続可能な通信部を有し、
前記通信部を介して前記第１の装置と前記第２の装置とからそれぞれの装置のネットワークアドレスを含む対応依頼情報を受信する対応依頼情報受信処理部と、
前記第１の装置と前記第２の装置との対応付けを許可するか否かを判定する対応付け判定部と、
該対応付け判定部により対応付けを許可する判定がされた場合に、前記第１の装置と前記第２の装置との少なくとも一方の装置に対して、相手方の装置のネットワークアドレスを、前記通信部を介して送信する送信処理部と
を有することを特徴とする情報処理装置。
【請求項８】
ネットワークを介してマッチングサーバと対応付け対象装置との双方に接続可能な通信部と、
マッチングサーバのネットワークアドレスを保持するアドレス保持部と、
識別情報を入力する識別情報入力部とを有し、
前記識別情報を含む対応依頼情報を前記アドレス保持部に保持されたネットワークアドレスに送信するとともに、
該マッチングサーバから対応付けに成功したことを示す対応成功情報を受けた場合に、該対応成功情報に含まれるネットワークアドレスに基づいて、対応付けられた対応付け対象装置との間で通信処理を行なう
ことを特徴とする情報処理装置。
【請求項９】
ネットワークを介してマッチングサーバと対応付け対象装置との双方に接続可能な通信部と、
マッチングサーバのネットワークアドレスを保持するアドレス保持部と、
ユーザの指示に基づいてその指示ごとに、異なる識別情報を生成する識別情報生成部と、
該識別情報を含む対応依頼情報を前記アドレス保持部に保持されたネットワークアドレスに送信するとともに、
該マッチングサーバから対応付けに成功したことを示す対応成功情報を受けた場合に、該対応成功情報に含まれるネットワークアドレスに基づいて、対応付けられた対応付け対象装置との間で通信処理を行なう
ことを特徴とする情報処理装置。
【請求項１０】
請求項８に記載の情報処理装置であって、
識別情報入力部として生体情報入力部を備え、該生体情報入力部から入力された生体情報に基づいて識別情報を生成する
ことを特徴とする情報処理装置。
【請求項１１】
請求項８に記載の情報処理装置であって、
識別情報入力部として記号入力部を備え、
該記号入力部から入力された記号情報に基づき、識別情報を生成する
ことを特徴とする情報処理装置。
【請求項１２】
請求項８に記載の情報処理装置であって、
識別情報入力部として画像／映像入力部を備え、
該画像／映像入力部から入力された画像／映像情報に基づいて識別情報を生成する
ことを特徴とする情報処理装置。
【請求項１３】
請求項８に記載の情報処理装置であって、
識別情報入力部として音声入力部を備え、
該音声入力部から入力された音声情報に基づいて識別情報を生成する
ことを特徴とする情報処理装置。
【請求項１４】
請求項８に記載の情報処理装置であって、
識別情報入力部として動きセンサーを備え、
該動きセンサーから入力された動き情報に基づいて識別情報を生成する
ことを特徴とする情報処理装置。
【請求項１５】
請求項８、１０〜１４までのいずれか１項に記載の情報処理装置であって、
前記識別情報は、予め生成され保持されている情報であり、ユーザの指示により、前記識別情報を含む対応依頼情報を送信する
ことを特徴とする情報処理装置。
【請求項１６】
請求項８又は９に記載の情報処理装置であって、
マッチングサーバから受信した対応成功情報に含まれる、対応付けられた対応付け対象装置に関連する伝達情報を出力する出力部を有する
ことを特徴とする情報処理装置。
【請求項１７】
請求項８又は９に記載の情報処理装置であって、
対応付けられた対応付け対象装置に伝達する伝達情報を含む対応依頼情報をマッチングサーバに送信する
ことを特徴とする情報処理装置。
【請求項１８】
請求項１から７までのいずれか１項に記載の情報処理装置と、請求項８から１７までのいずれか１項に記載の複数のマッチングサーバと、を有する情報処理システム。
【請求項１９】
請求項１８に記載の情報処理システムであって、
文書を蓄積する第１の情報処理装置と、文書を出力する第２の情報処理装置と、マッチングサーバと、を有する情報処理システム。
【請求項２０】
請求項１８に記載の情報処理システムであって、
通話機能を有する第１の情報処理装置と、通話時に使用する情報の情報入出力機能を有する第２の情報処理装置と、マッチングサーバと、を有する情報処理システム。
【請求項２１】
第１の装置と第２の装置との通信方法であって、
互いに認識可能な方法で前記第１の装置と前記第２の装置との関連付けを試みるステップと、
関連付けが確認された際に、前記第１の装置と前記第２の装置とのそれぞれのネットワークアドレスを相手方に送るステップと、
送られた相手方のネットワークアドレスに基づいて通信を行うステップと
を有することを特徴とする通信方法。
【請求項２２】
前記第１の装置と前記第２の装置とのそれぞれのネットワークアドレスを、前記関連付けに応じて取得し、関連付けが確認された際に、相手方のネットワークアドレスを送ることを特徴とする請求項２１に記載の通信方法。
【請求項２３】
コンピュータに、請求項２１又は２２に記載のステップを実行させるためのプログラム。
【請求項２４】
コンピュータに、請求項２１又は２２に記載のステップを実行させるためのプログラムを記憶する記憶媒体。
【発明の詳細な説明】
【技術分野】
【０００１】
本発明は、情報処理機器及び情報処理システムに関し、特に、複数の機器の対応付けを行なうための情報処理技術に関する。
【背景技術】
【０００２】
ネットワークで接続された２台の機器を対応付けて通信可能とするためには、お互いに相手のネットワークアドレスを知る必要がある。しかしながら、一方の機器が他方の機器のすぐ前に存在していたとしても、相手の機器のネットワークアドレスを知ることは難しい。
【０００３】
例えば、２台の携帯電話で通信する場合を考えてみると、通常は相手の携帯電話の利用者に電話番号を尋ねて、操作ボタンを押して聞き取った電話番号を入力する。これが可能なのは、１）相手の携帯電話の電話番号を教えてくれる相手方利用者がいること、２）こちらの携帯電話にも、相手方の携帯電話の電話番号を聞き取って入力する利用者がいること、３）携帯電話網で使用されるネットワークアドレスが１１桁程度の数字であり人間を介して簡単に伝えられ、簡単に入力できること、などの要因があるためである。
【０００４】
しかしながら、一般的には一方の機器が他方の機器のネットワークアドレスを知ることは、携帯電話の例ほど簡単ではない。例えば、携帯電話に蓄積されたドキュメントを、コンビニエンスストアのプリンタで印刷するような場合を考えてみる（図３７参照）。コンビニエンスストアＡ内には、３台のプリンタ（プリンタ２０１、プリンタ２０２、プリンタ２０３）が設置されており、ＬＡＮ（Ｌｏｃａｌ  Ａｒｅａ  Ｎｅｔｗｏｒｋ）３０３によって接続されている。一方、携帯電話１０１は携帯電話網３０２に接続されている。携帯電話１０１、プリンタ２０１、プリンタ２０２、プリンタ２０３はそれぞれグローバルＩＰ（Ｉｎｔｅｒｎｅｔ  Ｐｒｏｔｏｃｏｌ）アドレスを有しており、さらにＬＡＮ３０３と携帯電話網３０２とは広域網３０１によって接続されているとする。
【０００５】
これにより、携帯電話１０１は出力先のプリンタのＩＰアドレスを知れば、そのプリンタに対してドキュメントを送信し印刷することができる。ところが、携帯電話１０１の利用者がコンビニエンスストア内の３台のプリンタのうちからプリンタ２０２を選択し、プリンタ２０２でドキュメントを印刷しようとしても、携帯電話１０１はプリンタ２０２のＩＰアドレスを簡単に取得できるわけではない。
【０００６】
まず第１に、プリンタ２０２はＩＰアドレスを表示してくれるわけでもなければ、コンビニエンスストアの店員など誰かがプリンタ２０２のＩＰアドレスを教えてくれるわけでもない。第２に、プリンタ２０２のＩＰアドレスが取得できたとしても、携帯電話１０１に簡単に入力することができない。携帯電話１０１にはプリンタ２０２のＩＰアドレスを入力する標準的な手段を備えているわけでもなければ、ＩＰアドレスの記述形式も利用者が簡単に一時記憶して入力できるようにはなっていない。
【０００７】
このような問題点を解決するために、特許文献１では、オペレータがプリンタの識別名を知らなくても印刷するプリンタ装置を特定する技術を開示している。引用文献１に開示されている技術では、オペレータは自分を特定させる情報キーを設定し、ワークステーションのプリンタ特定手段は、ネットワークから印刷するプリンタ装置の位置情報の受信を試みる。プリンタ装置側でオペレータは、印刷するプリンタ装置の位置情報の送信処理を実行し、先ほど入力したものと同じキーを入力する。この位置情報および先ほど入力した情報キーを含んだ一連のデータが作成され、ネットワーク全体に１回だけ送信される。ワークステーションのプリンタ特定手段は、受け取った一連のデータの情報キーが、保管しているものと一致すれば、印刷条件データとして設定し、制御を印刷条件設定処理部に渡している。
【特許文献１】特開２００１−１５４８２２号公報
【発明の開示】
【発明が解決しようとする課題】
【０００８】
特許文献１に開示された技術では、プリンタ装置は情報キーを含んだ一連のデータを作成し、ネットワーク全体に１回だけ送信している。これは、オペレータの操作するワークステーションとプリンタ装置とが限定された範囲内のＬＡＮ上に存在する場合にのみ適用可能な技術である。なぜならば、ネットワーク全体に送信するということは、ネットワーク全体に多大な負荷がかかるからである。ネットワーク上の負荷を限定するために、ブロードキャストパケットの送信先は、ＬＡＮ内の特定のサブネットワーク内に限定するのが一般的である。
【０００９】
しかしながら、図３７の例では、携帯電話１０１とプリンタ２０２とは、同一ＬＡＮ内に存在するわけでも、特定のサブネットワーク内に存在するわけでもない。特許文献１に記載された技術により携帯電話１０１がプリンタ２０２を特定するためには、極端な場合、プリンタ２０２は広域網３０１に接続された世界中の機器に対して、情報キーを含んだ一連のデータを送信することになってしまう。
【００１０】
本発明の目的は以下の通りである。
１）対応付けようとする２台の機器が同一のネットワーク上にない場合でも、対応付けができるような対応付け方法を提供することである。
２）また、対応付けに関連する情報を少なくとも一つの対応する機器に伝達することである。
【課題を解決するための手段】
【００１１】
本発明は、機器間に「その場限りの」対応付け（「通信チャンネル」と呼んでもよい）を構築するマッチングサーバを備えることを特徴とする。この際、例えば、目の前にある機器同士を対応付けるために、簡便な方法を用いることを特徴とする。この方法とは、例えば、２台の機器を続けて操作することにより提供される。すなわち、同じ／同様の入力を２台の機器に行なうことにより対応付けが行なわれる。そして、対応付けられた機器に、他方の機器の関連情報を表示（出力）する方法が提供される。
【００１２】
さらに、対応付けられた２つの機器に同種の情報を表示（出力）して、対応付けられたことをユーザに認識させることもできる。
【００１３】
例えば、文書を保持する機器とプリンタとを簡便に対応付ける印刷システムを提供する。或いは、通話機器と外部の機器とを簡便に対応付けて、映像出力、音声入力、映像入力、音声入力などを通話機器と別の外部機器にて行なえる通話システムを提供する。この場合には、対応付けられる機器が遠隔地にある場合であっても、対応付けが簡便にできる。
【００１４】
すなわち、本発明の一観点によれば、ネットワークを介して第１の装置と第２の装置との双方に接続可能な通信部を有し、前記通信部を介して前記第１の装置と前記第２の装置とからそれぞれの装置のネットワークアドレスを含む対応依頼情報を受信し、対応付けが許可された場合に、前記第１又は第２の装置の少なくともいずれかに対して相手方の装置のネットワークアドレスを通知することを特徴とする情報処理装置が提供される。
【００１５】
この情報処理装置（マッチングサーバ）において対応付けられた２つの機器に対して、少なくともいずれかに対して相手機器のアドレスを通知する。これにより、少なくとも相手機器のアドレスを通知された方の装置は、相手機器にアクセス可能となる。
【００１６】
前記第１の装置からの対応依頼情報を受信した時刻と前記第２の装置からの対応依頼情報を受信した時刻との時間差が所定時間内である場合に、第１の装置と第２の装置とを対応付けを許可することを特徴とする。これにより、対応依頼情報が所定時間内に相次いで到着した場合に対応付ける。ネットワークアドレスを受信した時刻を基準にすることも可能である。この際、前記所定時間が、前記第１の装置または前記第２の装置のうちの少なくともいずれか一方から指定された値に基づき設定されることを特徴とする。これにより、アプリケーションによっては、例えば、閾値を５秒でなく１分に設定するというように、応用により適宜設定が可能である。
【００１７】
また、ネットワークを介して第１の装置と第２の装置との双方に接続可能な通信部を有し、前記通信部を介して前記第１の装置と前記第２の装置とからそれぞれの装置のネットワークアドレスを含む対応依頼情報を受信し、対応付けが許可された場合に、前記第１の装置と前記第２の装置との組に割り当て、組になったことを認識させるために用いる対応付け情報を生成し、前記第１の装置および前記第２の装置の双方に対して相手方の装置のネットワークアドレスと前記対応付け情報とを通知することを特徴とする情報処理装置が提供される。対応付けられた場合に、マッチングサーバで生成した対応付け情報をお互いに渡す。対応付け情報は、組になったことを認識させるために用いる情報である。
【００１８】
本発明の他の観点によれば、ネットワークを介して第１の装置と第２の装置との双方に接続可能な通信部を有し、前記通信部を介して前記第１の装置と前記第２の装置とからそれぞれの装置のネットワークアドレスを含む対応依頼情報を受信する対応依頼情報受信処理部と、前記第１の装置と前記第２の装置との対応付けを許可するか否かを判定する対応付け判定部と、該対応付け判定部により対応付けを許可する判定がされた場合に、前記第１の装置と前記第２の装置との少なくとも一方の装置に対して、相手方の装置のネットワークアドレスを、前記通信部を介して送信する送信処理部とを有することを特徴とする情報処理装置が提供される。
対応依頼情報にそれぞれのネットワークアドレスが含まれているのが一般的である。
【００１９】
本発明のさらに他の観点によれば、ネットワークを介してマッチングサーバと対応付け対象装置との双方に接続可能な通信部と、マッチングサーバのネットワークアドレスを保持するアドレス保持部と、識別情報を入力する識別情報入力部とを有し、前記識別情報を含む対応依頼情報を前記マッチングサーバに送信するとともに、該マッチングサーバから対応付けに成功したことを示す対応成功情報を受けた場合に、該対応成功情報に含まれるネットワークアドレスに基づいて、対応付けられた対応付け対象装置との間で通信処理を行なうことを特徴とする情報処理装置が提供される。
【００２０】
対応付けられた場合に、通知された「対応づけされた相手」と通信する。すなわち、一時的な対応付けを行うための識別情報を入力する。
【００２１】
また、ネットワークを介してマッチングサーバと対応付け対象装置との双方に接続可能な通信部と、マッチングサーバのネットワークアドレスを保持するアドレス保持部と、ユーザの指示に基づいてその指示ごとに、異なる識別情報を生成する識別情報生成部と、該識別情報を出力する識別情報出力部とを有し、該識別情報を含む対応依頼情報を前記マッチングサーバに送信するとともに、該マッチングサーバから対応付けに成功したことを示す対応成功情報を受けた場合に、該対応成功情報に含まれるネットワークアドレスに基づいて、対応付けられた対応付け対象装置との間で通信処理を行なうことを特徴とする情報処理装置が提供される。この際、対応付けられた場合に、通知された「対応づけされた相手」と通信する（識別情報を生成する）。
【００２２】
また、生体情報入力部を備え、該生体情報入力部から入力された生体情報に基づいて識別情報を生成することを特徴とする第１の情報処理装置であっても良い。さらに、記号入力部を備え、該記号入力部から入力された記号情報に基づき、識別情報を生成することを特徴とする情報処理装置であっても良い。記号には、数字、文字、絵文字など種々の情報が含まれる。
【００２３】
前記識別情報は、予め生成され保持されている情報であり、ユーザの指示により、前記識別情報を含む対応依頼情報を送信するものでも良い。例えば指紋は、いちいち読み取らせなくてもよい。
【００２４】
また、対応付けられた第２の情報処理装置に関連する伝達情報を出力する出力部を有することが好ましい。相手機器が生成・指定した関連メッセージなどを表示等するので、ユーザがどの機器と対応付けられたかがわかる。
【００２５】
対応付けられた第２の情報処理装置と関連する伝達情報を含む対応依頼情報をマッチングサーバに送信するのが好ましい。相手機器に指定したメッセージなどを表示させるので、ユーザがどの機器と対応付けられたかがわかる。また、対応付けられた第２の情報処理装置と関連する伝達情報を前記第１の及び第２の情報処理装置で対応付けして出力することも可能である。マッチングサーバが指定した色などを両方の機器で表示するので、ユーザがどの機器と対応付けられたかがわかる。
【発明の効果】
【００２６】
本発明によれば、対応付けようとする２台の機器が同一のネットワーク上にない場合でも、対応付けができるような対応付けすることができるという利点がある。
【発明を実施するための最良の形態】
【００２７】
以下、本発明の実施の形態による情報処理機器について図面を参照しながら説明を行う。まず、本発明の第１の実施の形態による情報処理機器について説明する。
【００２８】
図３７を参照して上述したような、携帯電話に蓄積されたドキュメントを、コンビニエンスストアのプリンタで印刷する状況で、携帯電話１０１がプリンタ２０２を特定するための技術について図１を参照しながら説明を行なう。
【００２９】
図１に示すように、コンビニエンスストアＢ内には、ＬＡＮに接続された３台のプリンタ（プリンタ２０１、プリンタ２０２、プリンタ２０３）が設置されており、携帯電話１０１は携帯電話網に接続されている。ＬＡＮと携帯電話網とは広域網によって接続されており、さらに、それぞれが広域網経由でマッチングサーバＥとも接続されている。携帯電話１０１、プリンタ２０１、プリンタ２０２、プリンタ２０３、マッチングサーバＥは、それぞれグローバルＩＰアドレスを有しており、相互に通信が可能である。さらに、携帯電話１０１、プリンタ２０１、プリンタ２０２、プリンタ２０３は、予め、マッチングサーバＥのグローバルＩＰアドレスを知っている。携帯電話１０１とプリンタ２０２とは指の指紋情報を読み込む（認識し識別する）ことができる機能を有している。
【００３０】
プリンタ２０２を用いて携帯電話１０１に蓄積されたドキュメントを印刷しようと考える携帯電話１０１の利用者は、携帯電話１０１とプリンタ２０２とに対して、続けて特定の指でタッチする。携帯電話１０１とプリンタ２０２とはタッチされた指の指紋情報をそれぞれ識別し、認識する。携帯電話１０１とプリンタ２０２とは、指紋情報を読み込むと、携帯電話１０１とプリンタ２０２とは、マッチングサーバＥに対して、読み込んだ指紋情報２５１ａ・２５１ｂと自身のグローバルＩＰアドレスとを通知する。
【００３１】
マッチングサーバＥでは、携帯電話１０１とプリンタ２０２とからそれぞれ送られてきた指紋情報を比較する。マッチングサーバＥは、例えば５秒以内に送られてきた指紋情報同士に限定するといった方法で、「続けてタッチされた」と判断し、指紋情報２５１ａ・２５１ｂの比較処理を行う。比較した指紋情報が一致すれば、マッチングサーバＥは、携帯電話１０１に対してプリンタ２０２のグローバルＩＰアドレスを、プリンタ２０２に対して携帯電話１０１のグローバルＩＰアドレスを通知する。これにより携帯電話１０１は、プリンタ２０２のグローバルＩＰアドレスを取得できるため、携帯電話１０１の利用者がタッチしたプリンタ（プリンタ２０２）に対して印刷対象のドキュメントを送信し、ドキュメントを印刷することができる。
【００３２】
以下、図１を用いて説明した第１の実施の形態に関してより詳細に説明する。図２は、携帯電話１０１の概略構成例を示す機能ブロック図である。本発明に関係しない部位の記載は省略する。図２に示すように、携帯電話Ｃは、以下の部位から構成される。
１）指紋入力部３１２：指紋を読み取るための部品である。指紋の読み取りは、光学式、静電容量式、温度センサー式などの周知の方法を用いて行うことができる。
２）通信部３０１：ネットワークに接続するための部品である。ネットワークカード、ＬＡＮケーブルの接続端子などを含む。ネットワークに対して無線（電波、赤外線、Ｂｌｕｅｔｏｏｔｈ）などで信号を送受信する場合には、アンテナなどの部品を含む。図２の例では、携帯電話は携帯電話網を用いて携帯電話の基地局（図示せず）と通信するためのアンテナである。尚、プリンタやマッチングサーバは、ＬＡＮケーブルに接続するための接続端子を有する。
３）指紋情報作成部３０９：指紋入力部３１２で読み取った指紋を基に、指紋を入力した人間を識別可能な識別情報を生成する。識別情報は具体的には指紋情報である。指紋情報は、画像データでも良く、抽出された特徴点データでも良い。但し、指紋情報は本人を特定（認証）する目的で使用するのではなく、一般的には、他の人の指との区別が可能な程度の情報量があればよい。
４）自アドレス保持部３０６：ネットワーク上で自機器（携帯電話、プリンタ）に割り当てられているネットワークアドレスを保持する部位である。（ネットワークアドレスは、具体的にはグローバルＩＰアドレスであるが、携帯電話もプリンタもマッチングサーバも携帯電話網で接続されているような場合には、携帯電話番号であってもよい。）
５）マッチングサーバドレス保持部３１０：ネットワーク上でマッチングサーバに割り当てられているネットワークアドレスを保持する部位である。
【００３３】
６）対応機器アドレス蓄積部３０７：自機器Ｃと対応付けられた機器（携帯電話に対するプリンタ、プリンタに対する携帯電話）の、ネットワーク上で割り当てられているネットワークアドレスを蓄積する部位である。
７）対応依頼情報送信処理部３０３：送信先アドレスとしてマッチングサーバのネットワークアドレス、送信元アドレスとして自機器Ｃのネットワークアドレス、付加データとして識別情報と伝達情報、を含む「対応依頼情報」を作成して、通信部３０１を介して送信する部位である。
８）対応成功情報受信処理部３０４：「対応成功情報」を、通信部３０１を介して受信し、自機器Ｃと対応付けられた機器（携帯電話に対するプリンタ、プリンタに対する携帯電話）のネットワークアドレスを対応機器アドレス蓄積部３０７に蓄積する部位である。
９）対応状況出力部３０２：「対応成功情報」を受信した場合、どの機器と対応しているかを出力するための部品である。例えば、視覚的に利用者に知らせる場合はディスプレイ、ＬＥＤなどであり、聴覚的に利用者に知らせるためにはスピーカなどにより構成される。
１０）文書蓄積部３０８：携帯電話内に文書を蓄積する部位である。
【００３４】
１１）文書指定部３１３：文書蓄積部３０８に蓄積された文書を指定するための部品である。携帯電話のボタンやジョグダイヤルなどで構成される。文書一覧を表示して印刷する文書を選択する、文書を表示して印刷ボタンを押すなどの処理を行う。
１２）印刷文書取得部３１１：文書指定部３１３によって指示された文書を文書蓄積部３０６から取り出す部位である。
１３）印刷依頼情報送信処理部３０５：送信先アドレスとして対応機器アドレス蓄積部３０７に蓄積されたネットワークアドレス、送信元アドレスとして自機器のネットワークアドレス、付加データとして印刷文書取得部３１１において取得した文書、を含む「印刷依頼情報」を作成して、通信部３０１を介して送信する部位である。
尚、点線で囲まれた部分は、プリンタと同様の機能を有する部分である。
【００３５】
図３は、プリンタＤの概略構成例を示す機能ブロック図である。なお、本実施例に関係しない部位の記載は省略する。
【００３６】
プリンタＤは、以下の部位から構成される。上述のように、点線で囲った部位Ｄ１の構成は、図２の点線で囲った携帯電話１０１の部位Ｃ１と同じ機能を有するため、説明を省略する。
１）印刷部４１２：指定された文書を紙に印刷するための部品である。例えば、ページプリンタの方式であれば、帯電させた感光ドラム上にレーザビームを走査することにより、目に見えない静電気の画像を作り、この静電画像にトナー（粉末インク）を吸着させ、それを用紙に転写する。例えば、インクジェットプリンタの方式であれば、インクカートリッジと印字ヘッドとが左右に往復しながら液体インクの粒子を噴射して用紙に印刷する。
２）印刷依頼情報受信処理部：「印刷依頼情報」を、通信部４０１を介して受信し、送信元アドレスが対応機器アドレス蓄積部４０７に蓄積されたネットワークアドレスと一致することを確認し、付加データから印刷対象の文書を取り出す部位である。
３）印刷処理部４１０：印刷依頼情報受信処理部４０５で取り出した印刷対象の文書を、印刷部４１２を介して印刷する処理を行なう部位である。
【００３７】
図４は、マッチングサーバＥの概略構成例を示す機能ブロック図である。尚、本実施例に関係しない部位の記載は省略する。
１）通信部５０１：（図２の通信部３０１と同じであり説明を省略する。）
２）自アドレス保持部５０４：（図２と同じであり説明を省略する。）
３）対応依頼情報受信処理部５０２：通信部５０１を介して「対応依頼情報」を受信して、送信元アドレスと識別情報と伝達情報とを抽出する部位である。
４）マッチング処理部５０３：対応依頼情報受信処理部５０２で抽出された「対応依頼情報」の送信元アドレスを基に、「対応依頼情報」を送信した機器に対応付けられる機器のネットワークアドレスを決定し、さらに対応付け情報を付加する部位（対応付け判定部）である。
５）対応成功情報送信処理部５０５：送信先アドレスとして「対応依頼情報」を送信した機器のネットワークアドレス、送信元アドレスとして自機器のネットワークアドレス、付加データとして「対応依頼情報」を送信した機器に対応付けられる機器のネットワークアドレスおよび伝達情報、並びに、対応付け情報、を含む「対応成功情報」を作成して、通信部５０１を介して送信する部位である。
【００３８】
６）時刻取得部：現在の時刻を取得する部位である。
７）マッチング情報データベース５１１：「対応依頼情報」の送信元アドレス、識別情報、および伝達情報、並びに、「対応依頼情報」の受信時刻を組にして保持する部位である。
８）マッチング情報比較処理部５０６：受信した「対応依頼情報」の識別情報と、マッチング情報データベースに保持されている「対応依頼情報」の識別情報とが同じであり、かつ、受信した「対応依頼情報」の受信時刻と、マッチング情報データベースに保持されている「対応依頼情報」の受信時刻との時間差が所定の時間内であるという条件を満たす、「対応依頼情報」の送信元アドレスと「対応依頼情報」の受信時刻との組が、マッチング情報データベースに保持されているか否かを判定する部位である。
９）マッチング情報登録部５０７：「対応依頼情報」の送信元アドレス、識別情報、および伝達情報、並びに、「対応依頼情報」の受信時刻を組にしてマッチング情報データベースに登録する部位である。
１０）マッチング情報取り出し部５０８：マッチング情報比較処理部５０３で、条件を満たすと判定された場合に、マッチング情報データベース５１１から条件を満たす「対応依頼情報」の送信元アドレスを取り出す部位である。
１１）マッチング情報整理処理部５１０：時刻取得部５０９で取得した時刻を基に、例えばある一定時間ごとに処理を行ない、マッチング情報データベース５１１において保持しておく必要がなくなった「対応依頼情報」の送信元アドレス、識別情報、および伝達情報、並びに、「対応依頼情報」の受信時刻の組を、マッチング情報データベース５１１から削除する部位である。
【００３９】
以上の機能により、マッチングサーバＥでは、携帯電話１０１とプリンタ２０２とからそれぞれ送られてきた対応依頼情報を比較し、比較した対応依頼情報が一致すれば、携帯電話１０１に対してプリンタ２０２のグローバルネットワークアドレスを、プリンタ２０２に対して携帯電話１０１のグローバルネットワークアドレスを通知することができる。
【００４０】
以下、上記の各種情報に関する構成例について説明する。
図５は、「対応依頼情報」の通信データのデータ構造例を示す図である。「対応依頼情報」の通信データは、通信データ種別６０１と、送信先アドレス６０２と、送信元アドレス６０３と、付加情報６０４と、を有している。通信データ種別６０１は、対応依頼情報を示す。送信先アドレス６０２は、マッチングサーバのネットワークアドレスである。送信元アドレス６０３は、対応依頼情報を送信した機器のネットワークアドレスである。付加情報６０４は、識別情報６０４ａと伝達情報６０４ｂとを含む。この中で、識別情報６０４ａは、指紋情報など入力した人間を特定する情報であるが、より広義には、２台（あるいはそれ以上の台数）の機器を組にする場合に、その組に属する機器であることを証明する（識別する）ための識別子である。伝達情報６０４ｂは、機器が対応付けられた場合に、相手の機器に伝達するための情報である。
【００４１】
図６は、「対応成功情報」の通信データのデータ構造の例を示す図である。「対応成功情報」の通信データは、通信データ種別７０１と、送信先アドレス７０２と、送信元アドレス７０３と、付加情報７０４と、を有している。通信データ種別７０１は、対応成功情報を示す。送信先アドレス７０２は、対応依頼情報を送信した機器のネットワークアドレスである。送信元アドレス７０３は、マッチングサーバのネットワークアドレスである。付加情報７０４は、対応付けられた機器のネットワークアドレス７０４ａと、対応付け情報７０４ｂと、伝達情報７０４ｃとを含む。この中で、対応付け情報７０４ｂは、２台（あるいはそれ以上）の機器が組になった場合に、組になったことを人間に認識させるために用いる情報である。また、伝達情報７０４ｃも、２台（あるいはそれ以上）の機器が組になった場合に、組になったことを人間に認識させるために用いることができる。
【００４２】
例えば、プリンタ２０２のランプ（対応状況出力部４０２）が赤く光り、携帯電話１０１の表示画面（対応状況出力部３０２）に赤いアイコンが表示されることによって、利用者に、その携帯電話１０１とプリンタ２０２とが組になったことを知らせるようにする例が考えられる。この場合、対応付け情報７０４ｂとして「赤」という情報が、マッチングサーバＥから携帯電話１０１とプリンタ２０２とに対して送られる。
【００４３】
例えば、携帯電話１０１で、組になったプリンタのランプを青く光らせたいと思ったとする。この場合、携帯電話１０１から「対応依頼情報」の付加データに伝達情報として「青」をつけて送信し、マッチングサーバＥからプリンタ２０２に伝達情報として「青」を送り、プリンタ２０２のランプ（対応状況出力部４０２）を青く光らせるということが考えられる。逆に、プリンタ２０２から「対応依頼情報」の付加データに伝達情報として「コンビニ内の真ん中のプリンタ」という文字列をつけて送信し、マッチングサーバＥから携帯電話１０１に伝達情報として「コンビニ内の真ん中のプリンタ」という文字列を送り、携帯電話１０１の表示画面（対応状況出力部３０２）に「コンビニ内の真ん中のプリンタ」というメッセージを表示することができる。このようにして、対応付けをユーザに対して確実に知らせることができる。
【００４４】
図７は、マッチング情報データベースに保持されたデータのデータ構造例を示す図である。図７に示すように、マッチング情報データベースには、「対応依頼情報」を送信したネットワークアドレス８０１と、「対応依頼情報」の受信時刻８０２と、「対応依頼情報」に含まれていた識別情報８０３と、「対応依頼情報」に含まれていた伝達情報８０４が、例えば受信時刻毎に時系列的に示されている。「対応依頼情報」に含まれていた伝達情報８０４は、前述の色情報や、メッセージとしての「コンビニ内の真ん中のプリンタ」という文字列など、ユーザに伝達すべき情報を含む。
【００４５】
図８は、本実施の形態による操作手順であって、利用者が携帯電話１０１とプリンタ２０２とを操作して、携帯電話１０１内の文書をプリンタ２０２に印刷する際の、操作手順例を示すフローチャート図である。
【００４６】
尚、携帯電話１０１とプリンタ２０２とに対する指紋入力の順番はどちらが先でもよい。まず、ステップＳ１において処理を開始し（スタート）、ステップＳ２において自分の所持している携帯電話に指紋を入力する。指紋を入力してから例えば５秒以内に、印刷したいプリンタに同じ指の指紋をステップＳ３において入力する。ステップＳ４において、携帯電話とプリンタとの対応付けを確認する。ステップＳ５において、携帯電話で印刷対象の文書を指定する。ステップＳ６において、プリンタにおいて印刷対象の文書が印刷される。ユーザはこの印刷物を入手することができる（ステップＳ７：エンド）。
【００４７】
尚、上記の流れの中で、印刷対象の文書を指紋入力より先に指定しておいてもよい。対応付けを確認するステップは省略してもよい。５秒という例は、具体的な例として提示したが、この値は変更可能である。ネットワークの構成や、対応付ける機器が何か、配置状況がどうなっているかにも依存するが、通常は５分以下のいずれかの値を用いるのが好ましい。指紋の比較処理において、比較対象がいくら待っても送信されない場合には、ある時間（例えば１時間など）で、処理を一旦中止するようにしても良い。
【００４８】
図９は、携帯電話１０１、プリンタ２０２に共通の、指紋を入力した後に対応付けられた機器のネットワークアドレスを取得する（時には対応付けに失敗する）までの処理の流れを示すフローチャート図である。
【００４９】
図９に示すように、ステップＳ１１において処理を開始し（スタート）、ステップＳ１２において、指紋入力部に指紋を入力する。ステップＳ１３において、指紋情報作成部において指紋情報を生成する。ステップＳ１４において、対応依頼情報送信処理部は、「対応依頼情報」を生成して、通信部を介して送信を行う。この際、伝達情報も生成して含める（符号１００１）。ステップＳ１５において、１０秒（マッチングサーバの閾値である５秒よりも少し長めに設定した値）以内に、「対応成功情報」受信したか否かを判定する。受信した場合には（Ｙｅｓ）、ステップＳ１６に進む。受信していない場合には（Ｎｏ）ステップＳ２０に進む。
【００５０】
ステップＳ１６において、対応成功受信処理部は、「対応成功情報」を、通信部を介して受信する。ステップＳ１７において、送信元アドレスは、マッチングサーバドレス保持部に保持されているものと同じか否かを判定する。同じであれば（Ｙｅｓ）、ステップＳ１８に進む。同じでなければ、ステップＳ２０に進む。ステップＳ１８においては、対応成功情報受信処理部は、対応機器アドレス保持部に、対応付けられた機器のネットワークアドレスを保持する。次いで、ステップＳ１９において、対応状況出力部に、対応付けが成功したことを出力する。例えば、対応付け情報又は伝達情報の色でランプを点灯し、対応付け情報又は伝達情報に含まれるメッセージを表示する。
【００５１】
一方、ステップＳ２０においては、対応状況出力部に、対応付けが失敗したことを出力する。例えば、黄色でランプを点滅表示させる。次いで、ステップＳ２１において処理を終了する。
【００５２】
図１０は、対応付けられるプリンタを決定した後に、携帯電話１０１で印刷対象の文書を対応付けられたプリンタに送信する処理の流れを示すフローチャート図である。０に示すように、まず処理をスタートし（ステップＳ３１）、文書指定部で対象文書を指定する（ステップＳ３２）。ステップＳ３３において、印刷文書取得部は、指定された文書を取り出す。ステップＳ３４において、印刷依頼情報送信処理部は、対応機器アドレス蓄積部に保持されたネットワークアドレスに対して、印刷対象の文書を、通信部を介して送信する。
【００５３】
次いで、ステップＳ３５において、対応状況出力部に、対応付けが終了したことを出力する。例えばランプを消灯する。この際、プリンタに印刷終了のメッセージを送信してもらい、そのメッセージを受信してからこの処理を行っても良い（符号１１０１）。これにより処理を終了する（エンド：ステップＳ３６）。
【００５４】
図１１は、対応付けられた携帯電話が決定した後に、プリンタで印刷対象の文書を対応付けられた携帯電話から受信して印刷する処理の流れを示すフローチャート図である。図１１に示すように、ステップＳ４１において処理をスタートし、ステップＳ４２において、印刷情報受信処理部は、印刷対象の文書を、通信部を介して受信する。ステップＳ４３において、送信元アドレスは、対応機器アドレス蓄積部に保持されているものと同じか否かを判断する。同じで有れば（ＹＥＳ）ステップＳ４４に進み、異なれば（ＮＯ）ステップＳ４６で処理を終了する。ステップＳ４４において、印刷処理部は、印刷部を介して文書を印刷する。次いで、ステップＳ４５において、対応状況出力部に、対応付けが終了したことを出力する。例えば、ランプを消灯する。次いで、ステップＳ４６で処理を終了する。
【００５５】
図１２は、マッチングサーバＥで携帯電話１０１とプリンタ２０２とを対応付ける処理の流れを示すフローチャート図である。まず、ステップＳ５１において処理を開始する（スタート）。ステップＳ５２において、対応依頼情報受信部は、通信部を介して「対応依頼情報」を受信する。ステップＳ５３において、マッチング処理部は「対応依頼情報」から識別情報を取り出す。ステップＳ５４において、マッチング情報比較処理部は、「対応依頼情報」から取り出した識別情報と同じ識別情報をもつデータがマッチング情報データベースに保持されているか否かを調べる。ステップＳ５５において、同じ識別情報をもつデータがマッチング情報データベースに保持されている場合には（ＹＥＳ）、ステップＳ５８に進む。保持されていない場合には（ＮＯ）、ステップＳ５６に進む。ステップＳ５６においては、マッチング情報登録部は、マッチング情報データベースに、「対応依頼情報」を送信した機器のネットワークアドレスと、受信時刻と、識別情報と、伝達情報と、の組を保持し、ステップＳ５７で処理を終了する。
【００５６】
ステップＳ５８においては、マッチング情報比較処理部は 「対応依頼情報」の受信時刻と、マッチング情報データベースに保持されているデータの受信時刻と、を比較する。ステップＳ５９において、受信時刻の差が閾値（例えば５秒）以内か否かを判定する。閾値以上の場合には（ＮＯ）、ステップＳ５６に進む。閾値以内の場合には（ＹＥＳ）、ステップＳ６０に進む。ステップＳ６０において、マッチング情報取り出し部は、受信時刻の差が閾値以内のデータをマッチング情報データベースから取り出す（データベースから削除される。）ステップＳ６１において、必要に応じて、マッチング処理部は対応付け情報（例えばランプの色）を生成する。ステップＳ６２において、対応成功情報処理部は、送信先アドレスとして、受信した「対応依頼情報」の送信元アドレスを設定した「対応成功情報」を生成し、Ｓ６１において生成した対応付け情報とマッチング情報データベースに保持されていた伝達情報とを付加して、通信部を介して送信する。ステップＳ６３において、対応成功情報処理部は、送信先アドレスとして、マッチング情報データベースに保持されていたネットワークアドレスを設定した「対応成功情報」を生成し、Ｓ６１において生成した対応付け情報と受信した「対応依頼情報に含まれる伝達情報とを付加して、通信部を介して送信する。ステップＳ５７で処理を終了する。
【００５７】
図１３は、マッチングサーバＥで不要となったマッチング情報を削除する処理の流れを示すフローチャート図である。まず、ステップＳ７１において処理をスタートし、ステップＳ７２において、マッチング情報整理処理部は、一定時間おき（例えば１分おき）に動作する。次いで、ステップＳ７３において、マッチング情報データベースに保持されているデータを一組づつ調べる（ステップＳ７３）。次いで、ステップＳ７４において、保持されているデータの受信時刻と現在時刻との差が閾値（例えば５秒）以内かどうか判断する。ＹＥＳの場合にはステップＳ７６に進み、ＮＯの場合にはステップＳ７５に進む。ステップＳ７５において、マッチング情報整理処理部はマッチング情報データベースから当該データを削除し、ステップＳ７６に進む。ステップＳ７６において、保持されているデータを全て調べ終えたか否かを判断し、ＮＯの場合はステップＳ７３に戻る。ＹＥＳの場合は、処理を終了する（ステップＳ７７：エンド）。
【００５８】
図８〜図１３を用いて説明したようにして、携帯電話から指定したプリンタに情報に基づく印刷を行うことができる。
【００５９】
図１４は、対応づけ情報を用いた場合の、携帯電話とプリンタとが対応付けられた状態の例Ｆを示す図である。図１４に示すように、本実施の形態による情報処理機器は、携帯電話１０１とプリンタ２０２とが対応付けられている。携帯電話１０１には赤いアイコン１５０１が表示され、プリンタ２０２ではランプ２０２ａが赤く光っている。また、携帯電話１０２とプリンタ２０１とが対応付けられている。携帯電話１０２には青いアイコン１５０２が表示され、プリンタ２０１ではランプ２０１ａが青く光っている（図１４では、図が白黒であるためパターンで色を識別できるように表現している。）。「赤」や「青」は、対応付け情報としてマッチングサーバＥのマッチング処理部で生成されたものであり、重複しないような色が指定される。なお、マッチングサーバＥで生成する対応付け情報は色情報に限る必要はなく、メッセージ文字列などの他の視覚的情報、あるいは、音声などの聴覚的情報であってもよい。
【００６０】
図１５は、伝達情報を用いた場合の、携帯電話とプリンタとが対応付けられた状態の別の例を示す図である。図１５に示すように、携帯電話１０１とプリンタ２０２とが対応付けられている。携帯電話１０１にはプリンタ２０２が生成したメッセージ「コンビニの真ん中のプリンタ」１５０６が表示されており、プリンタ２０２では携帯電話１０１が生成したメッセージ「山田さんの携帯電話」１５０４が表示されている。また、携帯電話１０２とプリンタ２０１とが対応付けられている。携帯電話１０２にはプリンタ２０１が生成したメッセージ「コンビニの左端のプリンタ」１５０７が表示されており、プリンタ２０１では携帯電話１０２が生成したメッセージ「田中さんの携帯電話」１５０３が表示されている。ここで示したメッセージは、伝達情報として、マッチングサーバＥ経由で渡される。なお、伝達情報はメッセージ文字列に限る必要はなく、色情報などの他の視覚的情報、あるいは、音声などの聴覚的情報であってもよい。
【００６１】
尚、マッチングサーバＥで用いる閾値は、マッチングサーバＥが固定でもっている値（５秒）として説明したが、閾値は対応依頼情報の付加データに含めて携帯電話１０１／プリンタ２０２からマッチングサーバＥに送ってもかまわない。マッチングサーバＥでは、対応依頼情報の付加データに含まれる閾値をマッチング情報データベースに保持する。図１３で不要になったデータを削除する処理で用いられる閾値はマッチング情報データベースに保持されたデータの閾値を用いるが、図１２の対応付け処理において用いられる閾値は、マッチング情報データベースに保持されたデータの閾値と受信した対応依頼情報に含まれる閾値との小さいほうの値が採用される。
【００６２】
上記においては、携帯電話１０１にも、指紋入力部が設けられるものとして説明したが、携帯電話１０１に予め指紋情報を蓄積しておき、操作によって指紋情報を含む対応依頼情報を送信する構成にしてもよい。この場合、携帯電話１０１に対しては指紋を一々入力しなくてもよく、マッチングサーバＥに識別情報を含む「対応依頼情報」を送信することを指示しさえすればよい。尚、指紋情報を予め保持しておくのは、この例では携帯電話に適用するべきであるが、一般的にはどちらの機器において実現してもよい（プリンタに予め指紋情報を保持しておき、携帯電話の側でそのたび毎に入力するような構成にしてもよい）。
【００６３】
ところで、本実施の形態においては、識別情報として指紋情報を採用した。これは、装置にタッチして指紋を読み取る行為と、装置を指定する行為とが直感的に結びつきやすいからである。また、指紋の場合、対応付けを行なう毎に指を変えて読み込ませることもできる。従って、人差し指によって対応付けた機器の組、中指によって対応付けた機器の組、というように、区別して用いることが可能な点で便利であり、偽造などもしにくい。また、指紋を識別情報として用いる以外にも、虹彩・声紋・手のひらの静脈パターンなどの種々の公知の生体情報に基づいて識別可能である。（この場合、指紋入力部３１２、４１１は広義の意味の生態情報入力部となる。）
【００６４】
情報処理装置９０１についてさらに説明を続ける。ここまでは、携帯電話１０１とプリンタ２０２とを対応づける例として説明したが、対応付ける対象の機器はどのようなものであっても良い。一般化すると、本明細書における情報処理装置９０１とは、例えば、携帯電話、プリンタのみならず、パーソナルコンピュータ、ワークステーション、ＰＤＡ、電話機、テレビ電話装置、スキャナなども含まれ、少なくとも、指紋入力部、通信部、指紋情報作成部、自アドレス保持部、マッチングサーバドレス保持部、対応機器アドレス蓄積部を有していれば良い。指紋入力部からの入力に対応して、マッチングサーバＥと通信する図９の処理を行ない、対応付けが行なわれた場合には、対応機器アドレス保持部に対応付けられた機器のネットワークアドレスを保持する機能を持つ機器を総称して情報処理装置９０１と呼ぶ。
【００６５】
また、同様に、マッチングサーバＥに関しても、例としてはパーソナルコンピュータ、ワークステーション、サーバシステムなどが対象となり、機能的には、携帯電話、ＰＤＡなどでも実現可能である。また、情報処理装置の１つにマッチングサーバＥが内蔵されている構成であっても良い。また、マッチングサーバＥと情報処理装置９０１、９０２とが同じＬＡＮ（有線または無線）上にある場合には、情報処理装置９０１、９０２は「対応依頼情報」の送信先アドレスとしてマッチングサーバＥのネットワークアドレスでなく、当該ＬＡＮ上の各機器に対するブロードキャストメッセージのためのアドレスを設定する構成であっても良い。この場合、マッチングサーバＥは当該ＬＡＮ上のブロードキャストメッセージを監視し、メッセージが「対応依頼情報」であれば図１２の処理を行なう。
【００６６】
次に、指紋以外の情報の利用について説明する。
ここまで識別情報として指紋情報を用いる例について説明してきたが、識別情報としては各種の情報を用いることができる。以下に、その変形例について説明を行う。この場合、第１の情報処理装置の指紋入力部を「識別情報入力部」と称し、指紋情報作成部は「識別情報作成部」と称する。
【００６７】
１）識別情報が、数字文字列：第１及び第２の２つの情報処理装置が識別情報入力部として数字／文字入力部（記号入力部）をもち、２つの機器に対して、ユーザが同じ数字（又は文字又は数字と文字の混合列）を入力する。入力された数字が識別情報としてマッチングサーバへ送られる。尚、第１の情報処理装置が第２の情報処理装置内でランダムに生成した数字や文字列を表示し、第１の情報処理装置で表示した数字や文字列をユーザが第２の情報処理装置に入力し、第１の情報処理装置と第２の情報処理装置とから送られる「対応依頼情報」がマッチングサーバに５秒以内の間隔で到着するように、ユーザが第１の情報処理装置と第２の情報処理装置とを操作する構成にしてもよい。また、第１の情報処理装置が蓄積している数字や文字列をユーザが覚えておき、ユーザが覚えている数字や文字列をユーザが第２の情報処理装置に入力し、第１の情報処理装置と第２の情報処理装置とから送られる「対応依頼情報」がマッチングサーバに５秒以内の間隔で到着するように、ユーザが第１の情報処理装置と第２の情報処理装置とを操作する構成にしてもよい。
【００６８】
２）識別情報が画像、映像等：第１及び第２の２つの情報処理装置が識別情報入力部としてカメラなどの画像入力部（画像／映像入力部）をもち、二つの機器に対して同じ映像を読み込ませる。映像の例は、顔の画像でも良く、カメラの前で行なうアクション（例えば腕を交差させてから両手を上にあげるなど）の映像でも良い。入力された画像や映像が識別情報としてマッチングサーバへ送られる。尚、第１の情報処理装置が第１の情報処理装置内でランダムに生成した画像、映像、あるいは２次元コードなどを表示し、第１の情報処理装置で表示した画像、映像、あるいは２次元コードを第２の情報処理装置で読み取り、第１の情報処理装置と第２の情報処理装置とから送られる「対応依頼情報」がマッチングサーバに５秒以内の間隔で到着するように、ユーザが第１の情報処理装置と第２の情報処理装置とを操作する構成にしてもよい。また、第１の情報処理装置が蓄積している画像や映像（例えば自分の顔）をユーザが覚えておき、ユーザが覚えている画像や映像をユーザが第２の情報処理装置に入力し、第１の情報処理装置と第２の情報処理装置とから送られる「対応依頼情報」がマッチングサーバに５秒以内の間隔で到着するように、ユーザが第１の情報処理装置と第２の情報処理装置とを操作する構成にしてもよい。
【００６９】
３）識別情報が音情報：第１及び第２の２つの情報処理装置が識別情報入力部としてマイクなどの音声入力部をもち、二つの機器に対して同じ音声を聞かせる。音声の例は、ユーザのキーワード発声であったり、ユーザの鼻歌であったり、携帯電話の着メロを聞かせたりする。入力された音声は識別情報としてマッチングサーバＥへ送られる。なお、第１の情報処理装置が第２の情報処理装置内でランダムに生成した音声や音楽などを出力し、第１の情報処理装置で出力した音声や音楽を第２の情報処理装置で入力し、第１の情報処理装置と第２の情報処理装置とから送られる「対応依頼情報」がマッチングサーバに５秒以内の間隔で到着するように、ユーザが第１の情報処理装置と第２の情報処理装置とを操作する構成にしてもよい。また、第１の情報処理装置が蓄積している音声や音楽（例えば、自分の名前の発音や「チューリップ」の歌）をユーザが覚えておき、ユーザが覚えている音声や音楽をユーザが第２の情報処理装置に入力し、第１の情報処理装置と第２の情報処理装置とから送られる「対応依頼情報」がマッチングサーバに５秒以内の間隔で到着するように、ユーザが情報処理装置と情報処理装置とを操作する構成にしてもよい。この場合、第１の情報処理装置では曲のタイトルを表示し、第２の情報処理装置には曲のメロディを入力するといった実装も考えられる。尚、マッチングサーバで識別情報が同じであるという判断する際には、当然のことながら、識別情報のデータ列が完全に一致している必要はない。例えば、この例であれば、一つの機器に入力されたメロディと別の機器に入力されたメロディとが異なっていても、同じ歌の一節であると認識されたならば、識別情報が同じであると判断される。
【００７０】
４）識別情報がリモコン信号：第１及び第２の２つの情報処理装置が識別情報入力部として赤外線受光部や電波受信部などのリモコン信号入力部をもち、二つの機器に対して同じリモコン信号を送信する。入力されたリモコン信号は識別情報としてマッチングサーバＥへ送られる。なお、第１の情報処理装置が第２の情報処理装置内でランダムに生成したリモコン信号を送信し、第１の情報処理装置で送信したリモコン信号を第２の情報処理装置で受信し、第１の情報処理装置と第２の情報処理装置とから送られる「対応依頼情報」がマッチングサーバに５秒以内の間隔で到着するように、ユーザが第１の情報処理装置と第２の情報処理装置とを操作する構成にしてもよい。
【００７１】
５）その他、図１６に示すように、ユーザ１６０１が、２つの第１及び第２の情報処理装置１６０４（図では２つが重なって見えている）を手１６０３にもって重ねて振る（１６０２）。あるいは、ユーザ１６０５が、２つの第１及び第２の情報処理装置１６０８を手１６０６にもってそれぞれ同じようなアクション（例えば、左肩の上から右下に向けて３回振る、など）で振る。第１の情報処理装置は識別情報入力部として３次元加速度センサー（動きセンサー）をもっており、どのような加速がかかったかを正規化して識別情報を生成して、マッチングサーバに送る。なお、第１の情報処理装置が蓄積しているアクションをユーザが覚えておき、ユーザが覚えているアクションをユーザが第２の情報処理装置に入力し、第１の情報処理装置と第２の情報処理装置とから送られる「対応依頼情報」がマッチングサーバに５秒以内の間隔で到着するように、ユーザが第１の情報処理装置と第２の情報処理装置とを操作する構成にしてもよい。この場合、第１の情報処理装置ではアクションの内容を文字列や画像で表示し、第２の情報処理装置には第１の情報処理装置での表示に対応するアクションを入力するという方法も実現可能である。
【００７２】
以上に説明したように、本実施の形態においては、マッチングサーバが２つの機器から受信した識別情報が一致した場合にのみ２つの機器を対応付けるとしたが、マッチングサーバ内で一致とみなせるためのデータベースをもっていれば、必ずしも同じ識別情報を受信しなくとも対応付けは可能である。例えば、一方の機器で合言葉「山」を入力し、もう一方の機器で合言葉「川」を入力した場合、マッチングサーバ内で「山」と「川」とが組になっている（組の情報である）と判定できさえすれば、２つの機器を対応付けることができる。また、一方の機器で人差し指の指紋を入力し、もう一方の機器で中指の指紋を入力した場合、マッチングサーバ内のデータベースに利用者ごとに全指の指紋情報を有しており、人差し指の指紋と中指の指紋とが組になっていると判定できれば、２つの機器を対応付けられたものとして判断することができる。
【００７３】
次に、本発明の第２の実施の形態による情報処理装置について図面を参照しつつ説明を行う。上記第１の実施の形態においては、２つの情報処理装置（携帯電話１０１、プリンタ２０２）を対応付けて、対応付けられた後は、一方の情報処理装置から印刷文書を送信し、他方の情報処理装置で受信した印刷文書を印刷するアプリケーションについて説明した。ところで、本発明の対応付け方法が適用可能なアプリケーションは、印刷に限らず、各種局面において利用が可能である。
【００７４】
本発明の第２の実施の形態では、図１７に示すように、携帯電話と通信機能付テレビとを対応付けて、携帯電話で受信したテレビ電話の映像出力を切り替えて、手近にあるテレビの画面に出力するアプリケーションについて説明する。携帯電話において、テレビ電話を行なうことは、近年一般的になっている。尚、テレビ電話の呼制御プロトコルとしてはＳＩＰ（Session Initiation Protocol）を用い、データ転送のプロトコルとしてはＲＴＰ（Real-time Transport Protocol）を用いることを念頭に説明を行なうが、プロトコルはＳＩＰやＲＴＰ以外を用いてもよい。
【００７５】
図１７左の携帯電話１７０１−Ａは、映像出力切替前の状態を示している。携帯電話１７０１−Ａでは、テレビ電話アプリケーションが起動している。ここでは、通話相手から送られてきた音声と映像とが携帯電話１７０１−Ａ（切替前の状態）のスピーカ１７０６−Ａとディスプレイ１７０４−Ａとから出力され、携帯電話１７０１−Ａのマイク１７０５−Ａとカメラ１７０３−Ａとから入力された音声と映像とが通話相手に送られている。
【００７６】
図１７右の携帯電話１７０１−Ｂ（切替後の状態）と通信機能付テレビ１７０２との組は、映像出力切替後の状態を示している。ここでは、携帯電話１７０１−Ｂと通信機能付テレビ１７０２とが対応付けられている。携帯電話１７０１−Ｂは折りたたまれており、ディスプレイは見えない。ここでは、通話相手から送られてきた音声が携帯電話１７０１−Ｂのスピーカ１７０６−Ｂから出力され、携帯電話１７０１−Ｂのマイク１７０５−Ｂとカメラ１７０３−Ｂとから入力された音声と映像とが通話相手に送られている。そして、通話相手から送られてきた映像が通信機能付テレビ１７０２のディスプレイ１７１１に表示される。
【００７７】
尚、通話相手から送られてきた映像のみを通信機能付テレビ１７０２で出力するものとして以下の説明を行なうが、テレビ１７０２のスピーカで通話相手から送られてきた音声を出力するようにしてもよいし、テレビ１７０２がマイクやカメラを備えているような構成であれば、通話相手に送る音声や映像をテレビ１７０２のマイクやカメラから入力してもよい。また、通話相手から送られてくる音声や映像が、携帯電話１７０１−Ｂとテレビ１７０２との両方で出力される構成であってもよい。また、図１７右において、携帯電話１７０１−Ｂは通話相手となんらの映像／音声通信を行なわず、テレビ１７０２のみを用いて通話相手とテレビ電話を行なう構成であってもよい。
【００７８】
図１８は本実施の形態によるシステムの構成例を示す図である。図１８に示すように、携帯電話１８０１と、携帯電話１８０１と対応付けられるテレビ１８２３、携帯電話１８０１の通話相手である相手方携帯電話１８１１、マッチングサーバ１８２１がネットワーク１８３０により接続されている。尚、本発明の第１の実施の形態において説明したように、使用するネットワークがグローバルネットワークアドレスであれば、各機器がどのようなサブネットワークを経由してネットワークにつながっているかは、以下の説明においては関係ない。
【００７９】
携帯電話１８０１と相手方携帯電話１８１１は、ディスプレイ１８０５・１８１４、スピーカ１８０４・１８１５、カメラ１８０２・１８１２、マイク１８０３・１８１３を備えている。テレビ１８２３は、ディスプレイ１８２４を備えている。尚、説明に必要のない構成の記載（テレビのスピーカなど）は省略した。以下、図１７及び図１８に示す、２台の携帯電話と１台の液晶テレビとの符号に関しては、基本的には図１８の構成において付した符号を用いて説明を行う。
【００８０】
図１９は、映像出力切替前（図１７左）の状態の、音声データおよび映像データの流れを説明する概念図である。携帯電話１８０１と相手方携帯電話１８１１とにおいて、相手方携帯電話１８１１のマイク１８１３から携帯電話１８０１のスピーカ１８０４へ（Ｌ１）、相手方携帯電話１８１１のカメラ１８１２から携帯電話１８０１のディスプレイ１８０５に（Ｌ２）データが送られる。また、携帯電話１８０１のカメラ１８０２から相手方携帯電話１８１１のディスプレイ１８１４にデータが送られるとともに（Ｌ３）、携帯電話１８０１のマイク１８０３から相手方携帯電話１８１１のスピーカ１８１５にデータが送られる（Ｌ４）。
【００８１】
図２０、図２１は、映像出力切替後（図１７右）の状態の、音声データおよび映像データの流れを説明する概念図である。図２０では、携帯電話１８１１のマイク１８１３から携帯電話１８０１のスピーカ１８０４へ（Ｌ５）、携帯電話１８１１のカメラ１８１２で入力された映像データは、一旦携帯電話１８０１に送信され、携帯電話１８０１からテレビ１８２３に転送されて、テレビ１８２３のディスプレイ１８２４で出力されている（Ｌ６）。また、携帯電話１８０１のカメラ１８０２から相手方携帯電話１８１１のディスプレイ１８１４にデータが送られるとともに（Ｌ７）、携帯電話１８０１のマイク１８０３から相手方携帯電話１８１１のスピーカ１８１５にデータが送られる（Ｌ８）。
【００８２】
この変形例を示す図２１においては、相手方携帯電話１８１１’のマイク１８１３’から携帯電話１８０１のスピーカ１８０４’に（Ｌ９）出力され、相手方携帯電話１８１１’のカメラ１８１２’で入力された映像データは、直接テレビ１８２３’に送られ（Ｌ１０）、テレビ１８２３’のディスプレイ１８２４’で出力されている。携帯電話１８０１’のマイク１８０３’から入力された音声は相手方携帯電話１８１１’のスピーカ１８１５’に（Ｌ１２）、携帯電話１８０１’のカメラ１８０２’から入力された映像は相手方携帯電話１８１１’のディスプレイ１８１４’に（Ｌ１１）出力されている。
【００８３】
図２２は、図１９から図２０へ移行する処理を行なうための機能を主として示す携帯電話（Ｇ）１８０１の構成図である。基本的には、符号は新たに付している構成に関しても、図２、図３と同一の構成部分に関してはその説明は省略する。なお、識別情報が指紋情報以外でも良いことは第１の実施の形態の場合と同様である。
【００８４】
１）転送元呼管理部２２０６：図１９での通話相手である相手方携帯電話１８１１との呼を管理する。ＳＩＰを用いて、呼の確立、解放などの処理を行ない、ＲＴＰを用いて音声、映像のデータ転送を行なう。
２）転送先呼管理部２２０５：携帯電話からの映像データの転送先であるテレビとの呼を管理する。ＳＩＰを用いて、呼の確立、解放などの処理を行ない、ＲＴＰを用いて（音声、）映像のデータ転送を行なう。
３）テレビ電話処理部２２１０：テレビ電話の音声データ、映像データを処理する部位である。音声と映像によるテレビ電話でなく、音声のみであっても良い。マイクから入力した音声データ、カメラから入力した映像データを転送元呼管理部２２０６へ渡し、転送元呼管理部２２０６から渡された音声データをスピーカへ出力し、映像データをテレビ電話のディスプレイに出力する。
４）データ転送管理部２２０９：音声データ、映像データを中継処理する部位である。転送元呼管理部２２０６から得た音声データ、映像データを転送先呼管理部２２０５へ渡し、転送先呼管理部２２０５から得た音声データ、映像データを転送元呼管理部２２０６へ渡す。図１７右の例では、相手方携帯電話１８１１からの映像データを転送先呼管理部２２０５に渡して、テレビ１８２３へ送る処理のみを行なう。
５）転送指示処理部２２１３：転送元呼管理部２２０６で扱われていたデータ（具体的には、相手方携帯電話１８１１から受信する音声データ、相手方携帯電話１８１１から受信する映像データ、相手方携帯電話１８１１へ送信する音声データ、相手方携帯電話１８１１へ送信する映像データ、の４種類のデータ）のうちの一部または全部を、対応機器アドレス蓄積部２２０８に保持されたネットワークアドレスをもつ情報処理機器（テレビ（Ｈ）１８２３）へ転送する処理を行なう部位である。
【００８５】
図２３は、図１９から図２０へ移行する処理を行なうためのテレビＨ（１８２３）の構成例を示す図である。図２、図３と同一の構成部分の説明は省略している。なお、識別情報が指紋情報以外でも構わないことは第１の実施の形態と同じである。
１）転送呼管理部２３０５：携帯電話１８０１との呼を管理する。ＳＩＰを用いて、呼の確立、解放などの処理を行ない、ＲＴＰを用いて（音声、）映像のデータ転送を行なう。
２）テレビ出力処理部２３０８：テレビ電話の映像データ出力を処理する部位である。映像データ出力のみの例を記しているが、音声データ出力、映像データ入力、映像データ出力も処理可能である。転送呼管理部２３０５から渡された、映像データをディスプレイに出力する。
【００８６】
以下、図１９から図２０へ移行する処理の流れを示すフローチャートに関して、図を参照して説明する。便宜上、携帯電話１８０１とテレビ１８２３との呼は携帯電話１８０１から発呼するものとして説明するが、テレビ１８２３から発呼しても同様である。
【００８７】
図２４は、携帯電話１８０１における図１９から図２０へ移行する際に、図９のフローチャートと同様の処理でテレビ１８２３と対応付けられた後の、処理の流れを示すフローチャート図である。図２４に示すように、まずステップＳ８１において処理を開始し（スタート）、ステップＳ８２において、転送指示処理部は、対応機器アドレス蓄積部を参照して転送先の機器（テレビ１８２３）のネットワークアドレスを得る。次いで、ステップＳ８３において、転送指示処理部は、転送先呼管理部に転送先の機器との呼を確率させる（転送先呼管理部は転送先の機器に発呼して呼を確立する）。
【００８８】
ステップＳ８４において、転送指示処理部は、データ転送管理部に指示し、転送元呼管理部で受信した映像データを転送先呼管理部から送信させる。次いで、ステップＳ８５において、転送指示処理部は、テレビ電話処理部に指示し、映像データの出力を中止する。ステップＳ８６において、テレビ電話処理部は、対応状況出力部に、映像データの出力がテレビ（Ｈ）１８２３で行われている旨を表示する。
【００８９】
図２５は、テレビ（Ｈ）１８２３における図１９から図２０へ移行する際に、図９のフローチャートと同様の処理で携帯電話１８０１と対応付けられた後の、処理の流れを示すフローチャート図である。
【００９０】
図２５に示すように、まずステップＳ９１において処理を開始し（スタート）、ステップＳ９２において、転送元の機器（携帯電話１８０１）から着呼すると、転送呼管理部は転送元の機器と呼を確立する。対応機器アドレス蓄積部を参照して、呼を確立する相手機器のアドレスが対応機器アドレス蓄積部に保持されたアドレスと一致するかを調べる処理を行っても良い（２５０１）。
【００９１】
次いで、ステップＳ９３において、テレビ出力処理部は、転送呼管理部が受信した映像データを出力する。ステップＳ９４において、テレビ出力処理部は、対応状況出力部に、携帯電話１８０１で受信していた映像データが転送されている旨を表示する。ステップＳ９５で処理を終了する。
【００９２】
図２６は、携帯電話１８０１とテレビ１８２３との間で呼を確立するための呼制御データの構成例を示す図である。記述はＳＤＰ（Ｓｅｓｓｉｏｎ  Ｄｅｓｃｒｉｐｔｉｏｎ  Ｐｒｏｔｏｃｏｌ）に準ずるが、必要な箇所のみを抜き出したものである。
【００９３】
図２６（ａ）は、携帯電話Ｇ１８０１からテレビＨ１８２３へ送られる呼確立要求の呼制御データの例である。ｖｉｄｅｏという記述により通信メディアとして映像を指定し、「ｓｅｎｄｏｎｌｙ」という記述により映像を送信はするが受信しない片方向通信を指定している。携帯電話Ｇ１８０１ではテレビＨ１８２３からの映像の受信を行なわないため、映像受信用の通信ポートを指定する必要はない。従って、通信ポート番号として、実際には存在しないポート番号（９９９）を指定し、テレビＨ１８２３側には本当の通信ポート情報は開示していない。
【００９４】
図２６（ｂ）は、図２６（ａ）の呼確立要求に対する応答としての、テレビＨ１８２３から携帯電話Ｇ１８０１へ送られる呼確立応答の呼制御データである。ｖｉｄｅｏという記述により通信メディアとして映像を指定し、「ｒｃｅｖｏｎｌｙ」という記述により映像を受信はするが送信しない片方向通信を指定している。テレビＨ１８２３では携帯電話Ｇ１８０１への映像の送信は行なわないが、受信を行なう。従って、通信ポート番号を指定し（４０６０）、携帯電話Ｇ１８０１からの映像を待ち受ける。
【００９５】
図２７は、図１９から図２１へ移行する処理を行なうための携帯電話Ｉの構成例を示す図である。図２、図３と同一の構成部分の説明は省略する。尚、識別情報が指紋情報以外でも同様であることは、第１の実施の形態の場合と同様である。
１）テレビ電話呼管理部２７０５：図１９における通話相手である相手方携帯電話１８１１’との呼を管理する。ＳＩＰを用いて、呼の確立、解放などの処理を行ない、ＲＴＰを用いて音声、映像のデータ転送を行なう。
２）テレビ電話処理部２７０８：テレビ電話の音声データ、映像データを処理する部位である。音声と映像によるテレビ電話でなく、音声のみであっても良い。マイクから入力した音声データ、カメラから入力した映像データをテレビ電話呼管理部２７０５へ渡し、テレビ電話呼管理部２７０５から渡された音声データをスピーカへ出力、映像データをディスプレイに出力する。
３）転送依頼処理部２７１１：テレビ電話呼管理部２７０５で扱われていたデータ（具体的には、相手方携帯電話Ｊ１８１１’から受信する音声データ、相手方携帯電話Ｊ１８１１’から受信する映像データ、相手方携帯電話Ｊ１８１１’へ送信する音声データ、相手方携帯電話Ｊ１８１１’へ送信する映像データ、の４つ）のうちの一部または全部を、対応機器アドレス蓄積部２７０７に保持されたネットワークアドレスをもつ情報処理機器（テレビ１８２３’）へ転送するよう、テレビ電話で通話している相手機器（相手方携帯電話Ｊ１８１１’）に依頼する部位である。
【００９６】
図２８は、図１９から変形図２１へ移行する処理を行なうための相手方携帯電話Ｊ１８１１’の構成例を示す機能ブロック図である。
１）第１テレビ電話呼管理部２８０２：図１９での通話相手である携帯電話Ｉ１８０１’との呼を管理する。ＳＩＰを用いて、呼の確立、解放などの処理を行ない、ＲＴＰを用いて音声、映像のデータ転送を行なう。
２）第２テレビ電話データ転送処理部２８０３：図２１における映像データ送信先であるテレビ１８２３’に対するデータ送受信を行なう。ＲＴＰを用いて音声、映像のデータ転送を行なう。第１テレビ電話呼管理部２８０２と同様に、データ転送を含む呼全体を管理するようにしても良い。その場合、ＳＩＰを用いて、呼の確立、解放などの処理も行なう。
３）テレビ電話処理部２８０５：テレビ電話の音声データ、映像データを処理する部位である。音声と映像によるテレビ電話でなく、音声のみであっても良い。マイクから入力した音声データを第１テレビ電話呼管理部２８０２へ渡し、第１テレビ電話呼管理部２８０２から渡された音声データをスピーカへ出力、映像データをディスプレイに出力する。また、カメラから入力した映像データを、第１テレビ電話呼管理部２８０２または第２テレビ電話呼管理部２８０３へ渡す。
４）送受信先設定処理部２８０４：音声データ、映像データの送信先機器、受信元機器を設定する部位である。第１テレビ電話呼管理部２８０２を介して携帯電話Ｉ１８０１’から受けた指示に基づき、映像データの送信先機器を、携帯電話Ｉ１８０１’からテレビ１８２３に変更する。
【００９７】
尚、テレビ１８２３’の構成は図２３に示すテレビ１８２３の構成と同様である。但し、対応機器アドレス蓄積部に蓄積されたネットワークアドレス（携帯電話１８０１’のネットワークアドレス）と、転送呼管理部において呼を確立する相手機器／受信映像を送信してきた相手機器のネットワークアドレス（相手方携帯電話１８１１’）とは異なる。従って、図２５に示すフローチャートの処理のうち、「対応機器アドレス蓄積部を参照して、呼を確立する相手機器のアドレスが対応機器アドレス蓄積部に保持されたアドレスと一致するかを調べるステップを入れてもよい」（２５０１）の処理は行なわない。
【００９８】
図２９は、携帯電話１８０１’における図１９から図２１へ移行する際に、図９のフローチャートと同様の処理でテレビ１８２３’と対応付けられた後の処理の流れを示すフローチャート図である。尚、図９のフローチャートと同様の処理において、テレビ１８２３’から伝達情報としてテレビ１８２３’の映像受信ポートを受け取っているものとする。
【００９９】
図３０は、相手方携帯電話Ｊ１８１１’における図１９から図２１へ移行する処理の流れを示すフローチャート図である。尚、テレビ１８２３’における図１９から図２１へ移行する処理は、図９のフローチャート図と同様の処理であるため、フローチャート図を省略している。但し、携帯電話Ｉ１８０１’に対して伝達情報としてテレビ１８２３’の映像受信ポートを知らせて、携帯電話Ｉ１８０１’との対応付けが行なわれた後は、当該映像受信ポートにおいて映像データを待ち受けるものとする。この例では、テレビ１８２３’は、単に相手方携帯電話Ｊ１８１１’からの映像データを受信するのみである（呼制御は行なわない）。
【０１００】
図２９に示すように、まずステップＳ１０１において処理を開始し（スタート）、ステップＳ１０２において、転送依頼処理部は、対応機器アドレス蓄積部を参照して、転送先の機器（テレビ１８２３’）のネットワークアドレスを得る。ステップＳ１０３において、転送依頼処理部は、テレビ電話呼管理部を介して、テレビ電話相手の機器（携帯電話１８１１’）に対して映像データの送信先を転送先の機器（テレビ１８２３’）の映像受信ポート（対応成功情報として取得）に設定するよう指示する。
【０１０１】
次いで、ステップＳ１０４において、転送依頼処理部は、テレビ電話処理部に指示し、映像データの出力を中止する。ステップＳ１０５において、テレビ電話処理部は対応状況出力部に、映像データの出力がテレビ１８２３で行われている旨を表示する。ステップＳ１０６において処理を終了する（エンド）。
【０１０２】
また、図３０に示すように、まずステップＳ１１１において処理を開始し（スタート）、ステップＳ１１２において、第１テレビ電話呼管理部は、通信部を介してテレビ電話相手の機器（携帯電話Ｉ１８０１’）から映像データの送信先を変更するよう指示を受け、その旨を送受信先設定処理部に通知する。ステップＳ１１３において、送受信先設定処理部は、第２テレビ電話データ転送処理部に指示して、映像データの送信先を転送先の機器（テレビ１８２３’）の映像受信ポートに設定する。
【０１０３】
次いで、ステップＳ１１４において、送受信先設定処理部は、テレビ電話処理部に指示し、カメラから入力した映像データを渡す先を、第１テレビ電話呼管理部から第２テレビ電話データ転送処理部に変更する。このとき、マイクから入力した音声データの渡し先は第１テレビ電話呼管理部のままであるとする（３００１）。また、スピーカへ出力する音声データの入手元、および、ディスプレイへ出力する映像データの入手元は、第１テレビ電話呼管理部のままであるとする。そして、ステップＳ１１５において処理を終了する（エンド）。
【０１０４】
尚、携帯電話１８０１’から携帯電話１８１１’に対して行なう、「映像データの送信先を転送先の機器（テレビ１８２３’）に設定する」指示としては、パラメタとして、少なくとも「転送先の機器のネットワークアドレス（テレビ１８２３’のネットワークアドレス）」「転送したいデータの種別（携帯電話１８１１’から見て、「送信映像データ／受信映像データ／送信音声データ／受信映像データ」の４つのうち、「送信映像データ」のみを転送希望）を含む。
【０１０５】
以上において、図２７〜図３０を参照して説明した例では、携帯電話１８１１’とテレビ１８２３’との間では呼は確立していないが、携帯電話１８１１’とテレビ１８２３’との間で、携帯電話１８１１’からテレビ１８２３’に対して片方向に映像データが転送される呼を確立してもよい。その場合、ＳＩＰのうち、転送のプロトコルが利用可能である。携帯電話１８０１’と携帯電話１８１１’との間の呼で使用するデータ種別のうちの一部（例えば映像・音声のうちの映像のみ）を、別の機器に転送する技術は、少なくともデータが双方向通信であれば、ＳＩＰおよびＳＤＰでは記述可能である。本実施の形態では映像データのうち片方向のみを別の機器に転送しているが、片方向通信のＳＤＰの記述例については図２６を参照して説明しており、これらを組みあわせることによって、携帯電話１８１１’とテレビ１８２３’との間で、携帯電話１８１１’からテレビ１８２３’に対して片方向に映像データが転送される呼を確立して映像データの送信先を変更することも可能である。
【０１０６】
以上により、図１７で説明したように、携帯電話１７０１でテレビ電話を行なっている最中に、相手から送られてきた映像データをテレビ１７０２に表示して、大画面で鑑賞することが可能である。同様に、相手から送られてきた音声データを別のスピーカ（テレビ１７０２またはステレオなど別の機器）に高音質で出力したり、相手に送る映像データや音声データの入力を、携帯電話１７０１の付属のカメラやマイクから、別のカメラやマイクに変更して高画質の映像、高音質の音声を相手に送ることも可能である。
【０１０７】
次に、本発明の第３の実施の形態による情報処理システムについて図面を参照しつつ説明を行う。本実施の形態は、カメラ（デジタルカメラ、ビデオカメラなど）と通信機能付テレビとを対応付けて、カメラで撮影した画像や映像を遠隔地のテレビに出力するアプリケーションについて図３１に基づいて説明する。例えば、東京に住む息子夫婦が撮影したわが子の写真を、大阪に住む両親の家のテレビに出力するような場合である。詳細な処理は第１及び第２の実施の形態と同様であるため、異なる箇所であって必要のあるところだけを説明する。
【０１０８】
図３１に示すように、カメラ３７０１とテレビ３７０２とマッチングサーバ３４０１とは、広域網３３０１によって接続されている。カメラ３７０１のユーザである「東京に住む息子」は、わが子の写真を両親に見せるために、テレビ３７０２のユーザである「大阪に住む母」に電話する。「東京に住む息子」は、電話機３７９１を用いて「大阪に住む母」に数字「２９９８３２７」を入力するよう指示した後、カメラ３７０１に数字「２９９８３２７」を入力する。「大阪に住む母」は、電話機３７９２により「東京に住む息子」からの指示を受けて、テレビ３７０２に数字「２９９８３２７」を入力する。なお、電話機３７９１、３７９２は数字「２９９８３２７」の伝達手段の説明のため用いたものであり、カメラ３７０１とテレビ３７０２とマッチングサーバ３４０１からなるシステムと必ずしも連動している必要はない。また、数字「２９９８３２７」は、「東京に住む息子」が勝手に考えたその場限りの合言葉であっても良い。
【０１０９】
カメラ３７０１は、識別情報入力部として数字／文字入力部をもち、識別情報として数字「２９９８３２７」を含む「対応依頼情報」がマッチングサーバ３４０１に送られる。同様に、テレビ３７０２は、識別情報入力部として数字／文字入力部をもち、識別情報として数字「２９９８３２７」を含む「対応依頼情報」がマッチングサーバ３４０１に送られる。マッチングサーバ３４０１では、所定時間以内に、カメラ３７０１からの「対応依頼情報」とテレビ３７０２からの「対応依頼情報」を受信すると、それぞれに含まれる識別情報を比較し、一致すれば、カメラ３７０１とテレビ３７０２とに「対応成功情報」を返す。これにより、カメラ３７０１とテレビ３７０２とは対応付けられ、カメラ３７０１はテレビ３７０２のネットワークアドレスを、テレビ３７０２はカメラ３７０１のネットワークアドレスを取得できる。よって、カメラ３７０１は広域網３３０１を介してテレビ３７０２に画像や映像を送信することが可能となる。
【０１１０】
尚、識別情報として数字を用いる例を挙げたが、第１及び第２の実施の形態と同じく、識別情報として数字以外のさまざまなもの（同一の音声、映像、アクション、など）が考えられる。
【０１１１】
さて、第１及び第２の実施の形態では、マッチングサーバ３４０１で設定する所定時間を５秒としていたのに対し、第３の実施の形態では、マッチングサーバ３４０１で設定する所定時間を１分程度とするのが望ましい。これは、第１及び第２の実施の形態では対応付けられる２つの機器に指紋などの識別情報を入力するのが同一人であるのに対して、第３の実施の形態では、別の人間が識別情報を入力しているため、時間差が拡大する可能性があるからである。マッチングサーバ３４０１では、使用するアプリケーションに応じて、所定時間を適時設定すればよい。
【０１１２】
以下、マッチングサーバ３４０１において所定時間が５秒と設定されているのに、第３の実施の形態のようにカメラ３７０１とテレビ３７０２との対応付けの場合の所定時間を１分としたい場合の処理の一例について説明する。この場合、「対応依頼情報」の付加情報として「指定対応時間」というパラメタを含める。カメラ３７０１からの「対応依頼情報」に含まれる指定対応時間は「１分」を指定したとする。テレビ３７０２からの「対応依頼情報」に含まれる指定対応時間は「２分」を指定したとする。また、マッチングサーバ３４０１では、テレビ３７０２からの対応依頼情報の受信に先行して、カメラ３７０１からの対応依頼情報を受信したとする。
【０１１３】
カメラ３７０１からの対応依頼情報を受信した際には、図１２の処理フローのうち、マッチング情報登録部がマッチング情報データベースに登録する処理において、指定対応時間（１分）も保持する。
【０１１４】
テレビ３７０２からの対応依頼情報を受信した際には、図１２の処理フローのうち、「受信時刻の差が閾値以内か？」という処理における閾値として、１）マッチング情報データベースに登録されていた対応依頼情報に含まれる指定対応時間（１分）、２）受信した対応依頼情報に含まれる指定対応時間（２分）のうちの、小さい方の値を採用する。１）および２）の両方で指定対応時間が設定されていない場合、または、１）または２）の片方にしか指定対応時間が設定されていない場合、には指定時間としてマッチングサーバ３４０１でデフォルト値として設定した値（５秒）が使用される。これにより、アプリケーションごとに異なる閾値を用いることが可能となる。なお、ここでは対応付けられる機器の両方が指定対応時間を設定した場合にのみ閾値を変更するとして説明したが、片方のみが指定対応時間を設定した場合に閾値を変更するような構成にしてもよい。ここで重要なのは、対応付けされる機器側から、閾値を変更することが可能であるということであり、設定方法はその一例にすぎない。
【０１１５】
なお、図１２の処理フローにおいて閾値を変更した場合には、図１３のマッチング情報データベースからの削除処理の際の閾値についても変更する必要があるが、詳細な説明は省略する。
【０１１６】
次に、本発明の第４の実施の形態による情報処理システムについて説明を行う。第１から３までの実施の形態において、２つの情報処理装置を含むシステムにおいて、第１の情報処理装置において識別情報を生成し、第２の情報処理装置において第１の情報処理装置で生成した識別情報を入力し、マッチングサーバにおいて、５秒以内に第１の情報処理装置と第２の情報処理装置とから上記識別情報を含む「対応依頼情報」を受信した場合には、複数の情報処理装置の中から第１の情報処理装置と第２の情報処理装置とを対応付ける構成にしてもよい。以下、図３２〜図３６を参照しつつ、第４の実施の形態による情報処理システムについて詳細に説明する。なお、図３２〜図３６においてマッチングサーバは図示しない。
【０１１７】
図３２は、情報処理装置３２０１が識別情報である数字／文字を表示する表示部３２０１ｂを有し、情報処理装置３２０２、３２０３、３２０４が各々識別情報入力部として数字／文字入力部３２０２ａ、３２０３ａ、３２０４ａを有する構成である場合に、情報処理装置３２０１と情報処理装置３２０３とを対応付ける例を示す図である。情報処理装置３２０１の近くには２台の情報処理装置（３２０３、３２０５）がある。利用者が、情報処理装置３２０１と情報処理装置３２０３とを対応付けようとする場合、まず情報処理装置３２０１で識別情報である数字「１２３４５６」を、ＣＲＴディスプレイ、液晶ディスプレイなどで構成された表示部３２０１ｂに表示させる。この数字は、ネットワークアドレスとは関係のない数字である。ユーザの指示のたびに異なる数字を生成して表示することが好ましい。次に、利用者は、数字「１２３４５６」を情報処理装置３２０３の数字／文字入力部３２０３ａに入力する。数字／文字入力部３２０３ａは、キーボード、リモコンなどで構成される。ユーザが表示を指示したタイミングで、情報処理装置３２０１から識別情報として数字「１２３４５６」を含む「対応依頼情報」が、図示しないマッチングサーバに送られる。また、ユーザが数字を入力したタイミングで、情報処理装置３２０３から識別情報として数字「１２３４５６」を含む「対応依頼情報」が、マッチングサーバに送られる。これにより、数字「１２３４５６」により情報処理装置３２０１と情報処理装置３２０３とが対応付けされる。
【０１１８】
図３３は、携帯型情報処理装置３３０１が識別情報である２次元コードを表示する表示部３３０１ｂを有し、情報処理装置３３０２、３３０３、３３０４が各々識別情報入力部として画像入力部３３０２ａ、３３０３ａ、３３０４ａをもつ構成である場合に、携帯型情報処理装置３３０１と情報処理装置３３０３とを対応付ける例を示す図である。携帯型情報処理装置３３０１の前には３台の情報処理装置（３３０２、３３０３，３３０４）がある。利用者が、携帯型情報処理装置３３０１と情報処理装置３３０３とを対応付けようとする場合に、まず携帯型情報処理装置３３０１で識別情報である２次元コード３３１５ａを、ＣＲＴディスプレイ、液晶ディスプレイなどで構成された表示部３３０１ｂに表示する。この２次元コード３３１５は、ネットワークアドレスとは関係がない。ユーザの指示のたびに異なる２次元コードを生成して表示することが好ましい。
【０１１９】
次に、利用者は、携帯型情報処理装置３３０１の表示部３３０１ｂを情報処理装置３３０３の画像入力部３３０３ａにかざして２次元コード３３１５を入力する。画像入力部３３０３ａは、カメラなどで構成される。ユーザが表示を指示したタイミングで、携帯型情報処理装置３３０１から識別情報として２次元コードの画像または２次元コードをデコードした値を含む「対応依頼情報」が、図示しないマッチングサーバに送られる。また、情報処理装置３３０３の画像入力部３３０３ａが２次元コード３３１５を撮像したタイミングで、情報処理装置３３０３から識別情報として２次元コードの画像または２次元コードをデコードした値を含む「対応依頼情報」が、マッチングサーバに送られる。なお、携帯型情報処理装置３３０１を「携帯型」としたのは、携帯型情報処理装置３３０１の表示部３３０１ｂを情報処理装置３３０３の画像入力部３３０３ａにかざすことを説明するためであり、必ずしも「携帯型」に限定されるものではない。また、画像は２次元コードに限らず、デコードできないマーク、例えば写真や幾何学的なマークであってもよい。
【０１２０】
図３４は、携帯型情報処理装置３４０１が識別情報である音楽（メロディ）を出力する音声出力部３４０１ｂを有し、情報処理装置３４０３が識別情報入力部として音声入力部３４０３ａをもつ構成である場合に、携帯型情報処理装置３４０１と情報処理装置３４０３とを対応付ける例を示す。携帯型情報処理装置３４０１の前には３台の情報処理装置（３４０２、３４０３、３４０４）がある。利用者が、携帯型情報処理装置３４０１と情報処理装置３４０３とを対応付けようとする場合、まず携帯型情報処理装置３４０１で識別情報であるメロディ３４１５を、スピーカなどで構成された音声出力部３４０１ｂから出力する。このメロディは、ネットワークアドレスとは関係がない。ユーザの指示のたびに異なメロディを生成して出力することが好ましい。次に、利用者は、携帯型情報処理装置３４０１の音声出力部３４０１ｂを情報処理装置３４０３の音声入力部３４０３ａに近づけてメロディを入力する。音声入力部３４０３ａは、マイクなどで構成される。ユーザがメロディ出力を指示したタイミングで、携帯型情報処理装置３４０１から識別情報としてメロディ３４１５を含む「対応依頼情報」が、図示しないマッチングサーバに送られる。また、情報処理装置３４０３がメロディ３４１５を入力したタイミングで、情報処理装置３４０３から識別情報としてメロディ３４１５を含む「対応依頼情報」が、図示しないマッチングサーバに送られる。なお、携帯型情報処理装置３４０１を「携帯型」としたのは、携帯型情報処理装置３４０１の音声出力部３４０１ｂを情報処理装置３４０３の音声入力部３４０３ａに近づけやすいためである。但し、必ずしもこの情報処理装置３４０１は「携帯型」に限定されるものではない。
【０１２１】
図３５は、携帯型情報処理装置３５０１が識別情報を含む赤外線リモコン信号を送信する送信部３５０１ｂを有し、情報処理装置３５０３が識別情報入力部として赤外線リモコン信号の受信部３５０３ａをもつ構成である場合に、携帯型情報処理装置３５０１と情報処理装置３５０３とを対応付ける例を示す図である。携帯型情報処理装置３５０１の前には３台の情報処理装置（３５０２、３５０３、３５０４）がある。利用者が、携帯型情報処理装置３５０１と情報処理装置３５０３とを対応付けようとする場合、まず携帯型情報処理装置３５０１で識別情報を生成する。この識別情報は、ネットワークアドレスとは関係がない。ユーザの指示のたびに異なる識別情報を生成することが好ましい。次に、利用者は、携帯型情報処理装置３５０１の送信部３５０１ｂを情報処理装置３５０３の受信部３５０３ａに向けて、識別情報を含む赤外線リモコン信号３５１５を送信する。ユーザが送信を指示したタイミングで、携帯型情報処理装置３５０１から識別情報を含む「対応依頼情報」が、図示しないマッチングサーバに送られる。また、情報処理装置３５０３が赤外線リモコン信号を受信したタイミングで、情報処理装置３５０３から赤外線リモコン信号３５１５に含まれる識別情報を含む「対応依頼情報」が、図示しないマッチングサーバに送られる。尚、携帯型情報処理装置３５０１を「携帯型」としたのは、携帯型情報処理装置３５０１の送信部３５０１ｂを情報処理装置３５０３の受信部３５０３ａに向けることを説明するためであり、必ずしも「携帯型」に限定されるものではない。
【０１２２】
図３６は、携帯型情報処理装置３６０１が近距離無線通信を用いて識別情報を送信する送信部３６０１ｂを有し、情報処理装置３６０３が識別情報入力部として近距離無線通信の受信部３６０３ａをもつ構成である場合に、携帯型情報処理装置３６０１と情報処理装置３６０３とを対応付ける例を示す図である。近距離無線通信には、Ｂｌｕｅｔｏｏｔｈ、ＲＦ−ＩＤなどが含まれる。携帯型情報処理装置３６０１の前には３台の情報処理装置（３６０２、３６０３、３６０４）がある。利用者が、携帯型情報処理装置３６０１と情報処理装置３６０３とを対応付けようとする場合、まず携帯型情報処理装置３６０１で識別情報を生成する。この識別情報は、ネットワークアドレスとは関係がない。ユーザの指示のたびに異なる識別情報を生成することが好ましい。次に、利用者は、携帯型情報処理装置３６０１の送信部３６０１ｂを情報処理装置３６０３の受信部３６０３ａに近づけて、識別情報を含む近距離無線信号３６１５を送信する。なお、携帯型情報処理装置３６０１からの近距離無線信号３６１５は、携帯型情報処理装置３６０１からの一定距離範囲３６１９に到達するものとする。ユーザが送信を指示したタイミングで、携帯型情報処理装置３６０１から識別情報を含む「対応依頼情報」が、図示しないマッチングサーバに送られる。
【０１２３】
また、情報処理装置３６０３が近距離無線信号３６１５を受信したタイミングで、情報処理装置３６０３から近距離無線信号３６１５に含まれる識別情報を含む「対応依頼情報」が、図示しないマッチングサーバに送られる。なお、携帯型情報処理装置３６０１を「携帯型」としたのは、携帯型情報処理装置３６０１の送信部３６０１ｂを情報処理装置３６０３の受信部３６０３ａに近づけることを説明するためであり、必ずしも「携帯型」に限定されるものではない。
【０１２４】
本発明は、プログラムおよびプログラムを記録した記録媒体として利用することが可能である。例えば、マッチングサーバＥ、情報処理装置９０１（または携帯電話１０１、１０２、１５１、プリンタ２０１、２０２、２０３、テレビ２５１など）は、プログラムとしても実現可能である。このプログラムはコンピュータで読み取り可能な記録媒体に格納されており、各処理は上記フローチャート図で示した処理をコンピュータに実行させるためのプログラムによって実現される。記録媒体の例としては、磁気テープやカセットテープなどのテープ系、フロッピーディスクやハードディスク等の磁気ディスクやＣＤ−ＲＯＭ／ＭＯ／ＭＤ／ＤＶＤなどの光ディスクなどからなるディスク系、ＩＣカードや光カード等のカード系、マスクＲＯＭ、ＦＰＲＯＭ、ＥＥＰＲＯＭ、フラッシュＲＯＭ等による半導体メモリを含めた固定的にプログラムを担持する媒体などいずれであってもよい。
【産業上の利用可能性】
【０１２５】
本発明は、情報処理装置間の関連付けに用いることができる。
【図面の簡単な説明】
【０１２６】
【図１】本発明の第１の実施の形態による情報処理システムにおいて、携帯電話に蓄積されたドキュメントを、コンビニエンスストアのプリンタで印刷する場合に、携帯電話がプリンタを特定するための例について示す図である。
【図２】携帯電話の概略構成例を示す機能ブロック図である。
【図３】プリンタの概略構成例を示す機能ブロック図である。
【図４】マッチングサーバの概略構成例を示す機能ブロック図である。
【図５】「対応依頼情報」の通信データのデータ構造例を示す図である。
【図６】「対応成功情報」の通信データのデータ構造の例を示す図である。
【図７】マッチング情報データベースに保持されたデータのデータ構造例を示す図である。
【図８】本発明の実施の形態による操作手順であって、利用者が携帯電話とプリンタとを操作して、携帯電話内の文書をプリンタに印刷する際の、操作手順例を示すフローチャート図である。
【図９】携帯電話、プリンタに共通の、指紋を入力した後に対応付けられた機器のネットワークアドレスを取得するまでの基本的な処理の流れを示すフローチャート図である。
【図１０】対応付けられるプリンタを決定した後に、携帯電話で印刷対象の文書を対応付けられたプリンタに印刷対象となる情報を送信する処理の流れを示すフローチャート図である。
【図１１】対応付けられた携帯電話が決定した後に、プリンタで印刷対象の文書を対応付けられた携帯電話から受信して印刷する処理の流れを示すフローチャート図である。
【図１２】マッチングサーバで携帯電話とプリンタとを対応付ける処理の流れを示すフローチャート図である。
【図１３】マッチングサーバで不要となったマッチング情報を削除する処理の流れを示すフローチャート図である。
【図１４】対応づけ情報を用いた場合の、携帯電話とプリンタとが対応付けられた状態の例Ｆを示す図である
【図１５】対応づけ情報を用いた場合の、携帯電話とプリンタとが対応付けられた状態の別の例を示す図である。
【図１６】第１及び第２の情報処理装置を重ねて振る、あるいは、それぞれ同じようなアクションにより関連付けを行う処理例を示す図である。
【図１７】本発明の第２の実施の形態による情報処理システムの構成例を示す図である。
【図１８】本実施の形態によるシステムの構成例を示す図である。
【図１９】図１７左の状態の、音声データおよび映像データの流れを説明する概念図である。
【図２０】図１７右の状態の、音声データおよび映像データの流れを説明する概念図である。
【図２１】図１７右の状態の、音声データおよび映像データの流れを説明する概念図である。
【図２２】図１９から図２０へ移行する処理を行なうための機能を主として示す携帯電話の構成図である。
【図２３】図１９から図２０へ移行する処理を行なうためのテレビの構成例を示す図である。
【図２４】携帯電話における図１９から図２０へ移行する際に、図１０のフローチャートと同様の処理でテレビと対応付けられた後の、処理の流れを示すフローチャート図である。
【図２５】テレビにおける図１９から図２０へ移行する際に、図１０のフローチャートと同様の処理で携帯電話と対応付けられた後の、処理の流れを示すフローチャート図である。
【図２６】携帯電話とテレビとの間で呼を確立するための呼制御データの構成例を示す図である。
【図２７】図１９から変形図２１へ移行する処理を行なうための携帯電話の構成例を示す図である。
【図２８】図１９から変形図２１へ移行する処理を行なうための相手方携帯電話１８１１の構成例を示す機能ブロック図である。
【図２９】携帯電話における図１９から図２１へ移行する際に、図１０のフローチャートと同様の処理でテレビと対応付けられた後の処理の流れを示すフローチャート図である。
【図３０】相手方携帯電話における図１９から図２１へ移行する処理の流れを示すフローチャート図である。
【図３１】カメラ（デジタルカメラ、ビデオカメラなど）と通信機能付テレビとを対応付けて、カメラで撮影した画像や映像を遠隔地のテレビに出力するアプリケーションを示す図である。
【図３２】第１情報処理装置が識別情報である数字／文字を表示する表示部を有し、第２情報処理装置識別情報入力部として数字／文字入力部を有する構成である場合に、両情報処理装置の対応付ける例を示す図である。
【図３３】携帯型情報処理装置が識別情報である２次元コードを表示する表示部を有し、情報処理装置が識別情報入力部として画像入力部をもつ構成である場合に、携帯型情報処理装置と情報処理装置とを対応付ける例を示す図である。
【図３４】携帯型情報処理装置が識別情報である音楽（メロディ）を出力する音声出力部を有し、情報処理装置が識別情報入力部として音声入力部をもつ構成である場合に、携帯型情報処理装置と情報処理装置とを対応付ける例を示す図である。
【図３５】携帯型情報処理装置が識別情報を含む赤外線リモコン信号を送信する送信部を有し、情報処理装置が識別情報入力部として赤外線リモコン信号の受信部をもつ構成である場合に、携帯型情報処理装置と情報処理装置とを対応付ける例を示す図である。
【図３６】携帯型情報処理装置が近距離無線通信を用いて識別情報を送信する送信部を有し、情報処理装置が識別情報入力部として近距離無線通信の受信部をもつ構成である場合に、携帯型情報処理装置と情報処理装置とを対応付ける例を示す図である。
【図３７】携帯電話に蓄積されたドキュメントを、コンビニエンスストアのプリンタで印刷する構成を示す図である。
【符号の説明】
【０１２７】
Ｂ…コンビニエンスストア、Ｅ…マッチングサーバ、１０１…携帯電話、２０１、２０２、２０３…プリンタ、１８０１…携帯電話、１８１１…相手方携帯電話、１８２３…テレビ、１８２１…マッチングサーバ、１８３０…ネットワーク。
【図１】
2006350588.tif 000003
【図２】
2006350588.tif 000004
【図３】
2006350588.tif 000005
【図４】
2006350588.tif 000006
【図５】
2006350588.tif 000007
【図６】
2006350588.tif 000008
【図７】
2006350588.tif 000009
【図８】
2006350588.tif 000010
【図９】
2006350588.tif 000011
【図１０】
2006350588.tif 000012
【図１１】
2006350588.tif 000013
【図１２】
2006350588.tif 000014
【図１３】
2006350588.tif 000015
【図１４】
2006350588.tif 000016
【図１５】
2006350588.tif 000017
【図１６】
2006350588.tif 000018
【図１７】
2006350588.tif 000019
【図１８】
2006350588.tif 000020
【図１９】
2006350588.tif 000021
【図２０】
2006350588.tif 000022
【図２１】
2006350588.tif 000023
【図２２】
2006350588.tif 000024
【図２３】
2006350588.tif 000025
【図２４】
2006350588.tif 000026
【図２５】
2006350588.tif 000027
【図２６】
2006350588.tif 000028
【図２７】
2006350588.tif 000029
【図２８】
2006350588.tif 000030
【図２９】
2006350588.tif 000031
【図３０】
2006350588.tif 000032
【図３１】
2006350588.tif 000033
【図３２】
2006350588.tif 000034
【図３３】
2006350588.tif 000035
【図３４】
2006350588.tif 000036
【図３５】
2006350588.tif 000037
【図３６】
2006350588.tif 000038
【図３７】
2006350588.tif 000039